(57)【要約】      （修正有）【課題】タックを設けることによる圧迫感の解消や動きやすさを損なうことなく、衣服の形状が崩れたままとならないようにした衣服を提供する。【解決手段】スカート本体部３には、左右にタック４が設けられており、スカート本体部３の布地を内側折り目５により左右方向の外向きに折り畳んだ後、外側折り目６より左右方向の内向きに折り畳んで、折り重なるようになっている。スカートの裏側において、左右のタック４の内側折り目５間に掛け渡すようにして伸縮可能なメッシュ布材９が設けられる。着用者が座ったり、しゃがんだりしたときに、タック４が開くことで、圧迫感を抑え、動きやすくすることができる。そして、立ったときに、メッシュ布材９の引張力によりタック４が元の状態に戻るので、スカートの形状が崩れたままとならないようにすることができる。【選択図】図３
0003195357.tif 000002
【実用新案登録請求の範囲】
【請求項１】
タックが設けられた衣服であって、
前記タックが開くときに、元の状態に戻すように引張力を与える伸縮可能な布材が設けられていることを特徴とする衣服。
【請求項２】
該衣服の左右に前記タックが設けられており、
前記各タックは、布地を内側折り目により左右方向の外向きに折り畳んだ後、外側折り目により左右方向の内向きに折り畳んで、折り重なるように構成され、
該衣服の裏側において、前記左右のタックの前記内側折り目間に掛け渡すようにして前記伸縮可能な布材が設けられることを特徴とする請求項１に記載の衣服。
【考案の詳細な説明】
【技術分野】
【０００１】
本考案は、タックが設けられた衣服に関する。
【背景技術】
【０００２】
スカート、キュロット、スラックス等の衣服には、タックが設けられているものがある。タックは、衣服に立体感を出す等の装飾のためや、身体の動きに必要な余裕を確保するために設けられる。例えば着用者が座ったり、しゃがんだりしたときに、下腹部、骨盤の両サイド、臀部、大腿部等に形状変化が起こり、衣服で圧迫される。このとき、タックが開くことで、圧迫感を抑え、動きやすくすることができる。
【先行技術文献】
【特許文献】
【０００３】
【特許文献１】特開平９−３１７１９号公報
【考案の概要】
【考案が解決しようとする課題】
【０００４】
しかしながら、座ったり、しゃがんだりした姿勢から再び立ったときに、タックが開いたままとなり、横皺等が生じて、衣服の形状が崩れてしまうことがある。
例えば特許文献１には、タックの重複された部分の布地と、タックの前方の布地とに、開き止めの布地を連結してなる構成が開示されている。
しかしながら、特許文献１に記載の技術的思想は、あくまで、開き止めの布地でタックが開くのを防ぐという思想に立つものである。特許文献１の段落［０００６］に「開き止めの布地４０を連結する場合、タック奥端１０ａに連結すると、タック１０は全く開かなくなる。・・・また、開き止めの布地４０をタック先端１０ｂに連結すると、タック１０の開きを防止できない。よって、開き止めの布地４０は、タック奥端１０ａから先端１０ｂの間、すなわちタック１０の重複部分の布地１１の中程に連結されている。」とあるが、開き止めの布地をタックの重複部分の布地の中程に連結した場合でも、タックが本来開くことのできる範囲を制限することになり、タックの機能の一部を損なうものである。
【０００５】
本考案は上記のような点に鑑みてなされたものであり、タックを設けることによる圧迫感の解消や動きやすさを損なうことなく、衣服の形状が崩れたままとならないようにすることを目的とする。
【課題を解決するための手段】
【０００６】
本考案の衣服は、タックが設けられた衣服であって、前記タックが開くときに、元の状態に戻すように引張力を与える伸縮可能な布材が設けられていることを特徴とする。
また、本考案の衣服の他の特徴とするところは、該衣服の左右に前記タックが設けられており、前記各タックは、布地を内側折り目により左右方向の外向きに折り畳んだ後、外側折り目により左右方向の内向きに折り畳んで、折り重なるように構成され、該衣服の裏側において、前記左右のタックの前記内側折り目間に掛け渡すようにして前記伸縮可能な布材が設けられる点にある。
【考案の効果】
【０００７】
本考案によれば、タックを設けることによる圧迫感の解消や動きやすさを損なうことなく、衣服の形状が崩れたままとならないようにすることができる。
【図面の簡単な説明】
【０００８】
【図１】実施形態に係るスカートの後側を示す図である。
【図２】図１のI-I線に沿う断面（メッシュ布材は省略）を示す図である。
【図３】実施形態に係るスカートの要部を示す図である。
【図４】実施形態に係るスカートの要部を示す図である。
【図５】他の実施形態に係るスカートの要部を示す図である。
【考案を実施するための形態】
【０００９】
以下、添付図面を参照して、本考案の好適な実施形態について説明する。
図１に、実施形態に係る衣服であるスカート１の後側を示す。なお、本願でいう前後左右は、衣服を着用した人物から見た方向をいうものとする。
図１に示すように、スカート１は、ウエスト部２と、ウエスト部２から下方に延びる筒状のスカート本体部３とを備える。
【００１０】
スカート本体部３には、左右にタック（プリーツとも呼ばれる）４が設けられる。タック４の構造は、図２に示すように、スカート本体部３の布地を内側折り目５により左右方向の外向きに折り畳んだ後、外側折り目６より左右方向の内向きに折り畳んで、折り重なるようになっている。図１に示すように、タック４は、スカート本体部３の縦方向の全域に形成されている。タック４の上部領域７では、外側折り目６部分がスカート本体部３に縫合されている。また、タック４の下部の適所では、外側折り目６部分がスカート本体部３に縫合されている（縫合部８）。
【００１１】
ここで、図３に示すように、スカート１の裏側において、左右のタック４の内側折り目５間に掛け渡すようにして伸縮可能なメッシュ布材９が設けられる。メッシュ布材９は、左右のタック４の内側折り目５に沿って縫合或いは接着等により固定される。
本実施形態では、図１に一点鎖線で示すように、タック４の上部領域７と下部の縫合部８との間に帯状のメッシュ布材９を配置する。
メッシュ布材９は、タック４が開いていない通常状態で、自然な状態（伸縮させない状態）で固定される。そして、タック４が開くときに、メッシュ布材９が伸びて、元の状態に戻すように引張力が与えられる。
【００１２】
着用者が座ったり、しゃがんだりしたときに、下腹部、骨盤の両サイド、臀部、大腿部等に形状変化が起こり、スカート１で圧迫される。このとき、図４に示すように、タック４が開くことで、圧迫感を抑え、動きやすくすることができる。タック４が開くときに、メッシュ布材９の引張力が作用するが（図４の矢印を参照のこと）、その引張力は着用者の動きを妨げるような大きな力ではない。
そして、座ったり、しゃがんだりした姿勢から再び立ったときに、メッシュ布材９の引張力によりタック４が元の状態に戻るので、スカート１の形状が崩れたままとならないようにすることができる。
【００１３】
以上、本考案を実施形態とともに説明したが、本考案はこれらの実施形態にのみ限定されるものではなく、考案の範囲内で変更等が可能である。
上記実施形態では、左右のタック４間に掛け渡すようにしてメッシュ布材９を設けたが、これに限定されるものではなく、一のタック４に対してメッシュ布材９を設けるようにしてもよい。例えば図５に示すように、メッシュ布材９の一端が、タック４の内側折り目５に沿って縫合或いは接着等により固定されるとともに、他端が、スカート本体部３の適所に縫合或いは接着等により固定される形態としてもよい。
また、上記実施形態では、本考案でいう布材として、通気性を確保するためにメッシュ布材としたが、メッシュ布材でなくてもかまわない。
また、上記実施形態では、本考案を適用した衣服としてスカートを例としたが、スカートに限定されるものではなく、タックが設けられた衣服であれば適用することができる。
【符号の説明】
【００１４】
１：スカート、２：ウエスト部、３：スカート本体部、４：タック、５：内側折り目、６：外側折り目、７：上部領域、８：縫合部、９：メッシュ布材
【図１】
0003195357.tif 000003
【図２】
0003195357.tif 000004
【図３】
0003195357.tif 000005
【図４】
0003195357.tif 000006
【図５】
0003195357.tif 000007